(57)【特許請求の範囲】
【請求項１】
キーホルダーのように、キーや紐、ロープ等様々なものを引っ掛けて携帯することができる携帯用具において、キーや紐やロープ等を引っ掛ける内部中空部や外周引っ掛け部が形成された支持フレームを複数本備え、この複数の支持フレームが回転軸を介して折り畳み可能に構成されるとともに、折り畳んで重なり合った支持フレームと支持フレームとを磁力により接着させる磁石が配され、前記支持フレームは、左右に各々少なくとも２つの支持フレームを備え、前記磁石が左右の各々の支持フレームの厚さと同じ厚さで配されているとともに、左右の各々の支持フレームの長さ方向の間に配されており、折り畳むと前記支持フレームと支持フレームの対向する位置に磁石が重なり合う位置において接合状態になることを特徴とする折畳み可能な携帯用具。
【請求項２】
キーホルダーのように、キーや紐、ロープ等様々なものを引っ掛けて携帯することができる携帯用具において、キーや紐やロープ等を引っ掛ける内部中空部や外周引っ掛け部が形成された支持フレームを複数本備え、この複数の支持フレームが回転軸を介して折り畳み可能に構成されるとともに、折り畳んで重なり合った支持フレームと支持フレームとを磁力により接着させる磁石が配され、
更に、ロープや物干しなどに引っ掛けるフック部を備え、前記フック部は、折り畳まれる一方の支持フレームと他方の支持フレームとの間に折り畳まれて収納されるとともに、折り畳まれる一方の支持フレームと他方の支持フレームが重なり合って、ハンガーとしての展開状態になるが、折り畳むと、所定角度の折り畳み状態では前記磁石による接合状態により安定した姿勢を保持することを特徴とする折畳み可能な携帯用具。
【請求項３】
キーホルダーのように、キーや紐、ロープ等様々なものを引っ掛けて携帯することができる携帯用具において、キーや紐やロープ等を引っ掛ける内部中空部や外周引っ掛け部が形成された支持フレームを複数本備え、この複数の支持フレームが回転軸を介して折り畳み可能に構成されるとともに、折り畳んで重なり合った支持フレームと支持フレームとを磁力により接着させる磁石が配され、
更に、前記支持フレームは、前記フック部を中心に左右に所定角度で傾斜して引き伸ばされ、前記フック部は、その根元の回転軸を中心に上方に回転して突出して、折畳みハンガーとしての使用が可能になる状態に展開されるか、及び／又は、前記フック部を中心に左右に各々少なくとも２つの支持フレームを備えて、これらの支持フレームを折り畳むと互いに重なり合った状態で前記フック部を中心に左右に所定角度で傾斜して展開することを特徴とする折畳み可能な携帯用具。
【請求項４】
キーホルダーのように、キーや紐、ロープ等様々なものを引っ掛けて携帯することができる携帯用具において、キーや紐やロープ等を引っ掛ける内部中空部や外周引っ掛け部が形成された支持フレームを複数本備え、この複数の支持フレームが回転軸を介して折り畳み可能に構成されるとともに、折り畳んで重なり合った支持フレームと支持フレームとを磁力により接着させる磁石が配され、前記支持フレームは、左右に各々少なくとも２つの支持フレームを備え、左右の各々の一方の支持フレームと他方の支持フレームとには極性の異なる磁石が配されており、所定角度で折り畳むと、少なくとも４つの支持フレームが交互に極性の異なる磁石の近接により、速度を速めて所定の折り畳み状態になることを特徴とする折畳み可能な携帯用具。
【請求項５】
前記支持フレームは、左右の支持フレームにおける、及び／又は、左右の各々の支持フレームにおける一方の支持フレームと他方の支持フレームとが回転軸と所定の角度に折り畳む角度調整部が設けられて回転可能に連結され、前記磁石による支持フレームの重なり合いを早める方向とは逆の方向に所定角度回転して係止するように設計されて配されていることを特徴とする請求項１ないし４のいずれか１項記載の折畳み可能な携帯用具。
【請求項６】
前記角度調整部は所定角度でロックされて逆方向には回転しないロック機構であって、所定角度で形成される溝に、スプリングピンを配置して構成されていることを特徴とする請求項５記載の折畳み可能な携帯用具。

【発明の詳細な説明】
【技術分野】
【０００１】
本発明は、キーホルダーのように、キーや紐、ロープ等様々なものを引っ掛けて携帯することができる携帯用具に関して、特に、磁石を介して速やかな折畳みと安定した折畳み姿勢を保持する折畳み可能な携帯用具に関する。
【背景技術】
【０００２】
キーホルダーは、キーを係止して携帯される携帯用具であるが、小物類を係止したりして携帯する用具として広く使用されている。
ところで、本願出願人は、登山やキャンプを趣味とするが、登山やキャンプに行くときには、命綱であるロープ類を携帯したり、防寒具としての衣類を携帯したり、食料を携帯したり、様々なものが要求され、それらをできるだけ小型にして携帯できるようにする必要がある。衣類については、それを吊り下げるハンガーが必要になるときがあり、そのような展開して使用するその他の携帯品も、できるだけ小型にして、かつ軽量であることが求められる。また、登山では、ロープ類を引っ掛けて所定の長さに調節する係止用金具が必要になり、又、キャンプのテントの設営などには、ロープの長さを調節する調節用の金具（係止用金具）が携帯に欠かせない道具になっている。以下、従来例として、折畳みハンガーを例に説明する。
【０００３】
特許文献１には、左右のアーム部を折り畳む折畳みハンガーが開示されている。その機械翻訳によれば、この折り畳み式衣類ハンガーは、(２つ)の支持ロッドの間に配置された折り畳みアセンブリを備える、折り畳み式アセンブリは、連接されたベースと、一対の折畳みロッドとを備える、折畳みロッドは、連結されたベースを介して互いにヒンジ結合されている、各折畳みロッドの一端部と、一端部と他端部との間に配置され、各折り畳みロッドの一端部と他端部との間に配置さ、対応する支持ロッドの中心部にヒンジ結合されていることを特徴とする。台座の底部は、可撓性パッドに固定的に連結されている台座の底部は磁石６に固定的に連結され、連接されたベースは金属製である（図１３）。なお、図１３中の符号６が磁石である。
また、非特許文献（インターネット検索での入手した資料）には、磁石が配された折り畳みハンガーが開示されている（図１４と図１５）。
【先行技術文献】
【特許文献】
【０００４】
【特許文献１】中国特許２０１６００号公報
【非特許文献】
【０００５】
【非特許文献１】インターネット検索から入手した資料、“Ｓｔｒｏｎｇ  Ｎｅｏｄｙｍｉｕｍ  Ｒｅｃｔａｎｇｕｌａｒ  Ｐｏｔ  Ｍａｇｎｅｔｓ  ｗｉｔｈ  Ｃｏｕｎｔｅｒ  Ｂｏｒｅ,  Ｃｏｕｎｔｅｒｓｕｎｋ  Ｈ”
【非特許文献２】インターネット検索から入手した資料、ｈｔｔｐｓ：／／ｗｗｗ．ａｍａｚｏｎ．ｃｏ．ｊｐ／Ｇｏｉｎｇ−Ｆｕｒｎｉｔｕｒｅ  ウルトラコンパクトアルミハンガー−ＦＨ１−２５０−携帯用ポケットハンガー／ｄｐ／Ｂ００ＭＦ５Ｂ０８Ｅ
【発明の概要】
【発明が解決しようとする課題】
【０００６】
ところで、折畳み可能な携帯用具は、棒状に折り畳むことができ、かつ、手のひらサイズに収まるとすると携帯にすこぶる便利であるが、その一方で、携帯用に折り畳まれたものが、携帯の途中で、無造作に開くと好ましくない。また、例えば、折畳みハンガーにおいては、展開したときには、展開した状態のまま（折り畳まれずに）、物干しとして使用できることが好ましい。
すなわち、折畳みハンガーを例にすると、衣類を引っ掛けるアーム部が折り畳まれると小型になるが、その折畳み箇所に衣類などの重量がかかったときに（水で濡れたシャツの重量が負荷されたときに）、展開してしまったり、折れ曲がったりすることがあると、好ましくない。そして、速やかな折り曲げ動作と、逆方向には折り曲げ動作しないロック機構が必要である。
【０００７】
そこで本発明の目的は、複数の支持フレームが無造作に展開したり、所定の重量が加わっただけで折り畳まれてしまったりすることがなく、速やかな折り曲げと展開状態への移行が可能な折畳み可能な携帯用具を提供することにある。
【課題を解決するための手段】
【０００８】
本発明は、キーホルダーのように、キーや紐、ロープ等様々なものを引っ掛けて携帯することができる携帯用具において、キーや紐やロープ等を引っ掛ける内部中空部や外周引っ掛け部が形成された支持フレームを複数本備え、この複数の支持フレームが回転軸を介して折り畳み可能に構成されるとともに、折り畳んで重なり合った支持フレームと支持フレームとを磁力により接着させる磁石が配されていることを特徴とする折畳み可能な携帯用具である。
本発明によれば、支持フレームの内部中空部や外周引っ掛け部にキーなどの小物類を引っ掛けて携帯したり、登山やキャンプのテントの設営などのときに紐やロープを引っ掛けて長さ調節する係止用金具等として使用したりすることができる。そして、棒状に折り畳んだときには、一方の支持フレームと他方の支持フレームとが磁石により接合状態になるので、無造作に展開するようなことはなくなる。また、展開したときには、棒状のステッキやハンガーとして使用できるが、磁石が配されているので、金属製の箇所には（例えばリュックサックの金属金具や設営テントの金属金具等）磁力による接合状態になるので、所定の折り畳み状態でも、安定し姿勢を保持して、折り畳んだり、展開させたりすることができる。
【０００９】
また、本発明は、キーホルダーのように、キーや紐、ロープ等様々なものを引っ掛けて携帯することができる携帯用具において、キーや紐やロープ等を引っ掛ける内部中空部や外周引っ掛け部が形成された支持フレームを複数本備え、この複数の支持フレームが回転軸を介して折り畳み可能に構成されるとともに、折り畳んで重なり合った支持フレームと支持フレームとを磁力により接着させる磁石が配され、前記支持フレームは、左右に各々少なくとも２つの支持フレームを備え、前記磁石が左右の各々の支持フレームの厚さと同じ厚さで配されているとともに、左右の各々の支持フレームの長さ方向の間に配されており、折り畳むと前記支持フレームと支持フレームの対向する位置に磁石が重なり合う位置において接合状態になることを特徴とする折畳み可能な携帯用具である。ここで、磁石の位置は、支持フレームの長さ方向であれば、左右の端部でも良いし、長さ方向の中央位置でも良い。
本発明によれば、前記磁石が左右の各々の支持フレームの厚さと同じ厚さで配されているので、折畳みや展開動作において、磁石が邪魔にならず展開したり折り畳んだりすることができる。また、支持フレームと支持フレームとがその長さ方向の間に磁石が対向するように配されているので、折り畳んで磁石が互いに接合して、一本の棒状の姿勢や所定の折畳みの姿勢を保持して、安定した姿勢を保持することができる。また、磁石を介して、所定の折り畳み状態への接合を早めたり（一方の支持フレームの磁石と他方の支持フレームの磁石がある近接距離になると、対向する磁石により接合状態に速やかに接合して、「カチッ」という音を立てて接合状態になる。）。なお、磁石により、鋼鉄製部材があるところでは、フック部を使用せずに止めることも可能である。
また、本発明は、キーホルダーのように、キーや紐、ロープ等様々なものを引っ掛けて携帯することができる携帯用具において、キーや紐やロープ等を引っ掛ける内部中空部や外周引っ掛け部が形成された支持フレームを複数本備え、この複数の支持フレームが回転軸を介して折り畳み可能に構成されるとともに、折り畳んで重なり合った支持フレームと支持フレームとを磁力により接着させる磁石が配され、前記支持フレームは、左右に各々少なくとも２つの支持フレームを備え、左右の各々の一方の支持フレームと他方の支持フレームとには極性の異なる磁石が配されており、所定角度で折り畳むと、少なくとも４つの支持フレームが交互に極性の異なる磁石の近接により、速度を速めて所定の折り畳み状態になることを特徴とする折畳み可能な携帯用具である。
本発明によれば、対向する極性の異なる磁石の重なり合いに早く移行して、「カチッ」という音を立てて接合状態になるが、その接合状態になると、今度は磁石の接合力よりも大きな引き離し力をかけないと、接合状態を解除できないこととなり、容易に他の姿勢には移行するようなことはない。
【００１０】
本発明としては、前記支持フレームは、左右の支持フレームにおける、及び／又は、左右の各々の支持フレームにおける一方の支持フレームと他方の支持フレームとが回転軸と所定の角度に折り畳む角度調整部が設けられて回転可能に連結され、前記磁石による支持フレームの重なり合いを早める方向とは逆の方向に所定角度回転して係止するように設計されて配されていることを特徴とする。また、本発明としては、前記角度調整部は所定角度でロックされて逆方向には回転しないロック機構であって、所定角度で形成される溝に、スプリングピンを配置して構成されていることを特徴とする。なお、上記ロック機構は、前記磁石による支持フレームの重なり合いを早める方向とは、逆になるように設計されている。
本発明によれば、一方の支持フレームと他方の支持フレームとを所定の角度で展開することができるようになる。所定形状に展開したときも、その所定の展開状態が崩れることがなく、安定した保持姿勢になる。なお、上記ロック機構は、前記磁石による支持フレームの重なり合いを早める方向とは、逆になるように設計されているにより、折畳み動作と展開動作の調和が図られる（無理な動作が生じない設計である）。
【００１１】
また、本発明は、キーホルダーのように、キーや紐、ロープ等様々なものを引っ掛けて携帯することができる携帯用具において、キーや紐やロープ等を引っ掛ける内部中空部や外周引っ掛け部が形成された支持フレームを複数本備え、この複数の支持フレームが回転軸を介して折り畳み可能に構成されるとともに、折り畳んで重なり合った支持フレームと支持フレームとを磁力により接着させる磁石が配され、
更に、ロープや物干しなどに引っ掛けるフック部を備え、前記フック部は、折り畳まれる一方の支持フレームと他方の支持フレームとの間に折り畳まれて収納されるとともに、折り畳まれる一方の支持フレームと他方の支持フレームが重なり合って、ハンガーとしての展開状態になるが、折り畳むと、所定角度の折り畳み状態では前記磁石による接合状態により安定した姿勢を保持することを特徴とする折畳み可能な携帯用具。
本発明によれば、フック部を展開するとともに、一方側と他方側の支持フレームが展開することで、ハンガーとして使用できるが、一方側と他方側の各々の支持フレームは磁石を介して磁力により接着するので、所定の折り畳み状態では、対向する磁石の接合状態により、互いの支持フレームは強度が強く接触するとともに、不用意に展開するようなことがない。
【００１２】
また、キーホルダーのように、キーや紐、ロープ等様々なものを引っ掛けて携帯することができる携帯用具において、キーや紐やロープ等を引っ掛ける内部中空部や外周引っ掛け部が形成された支持フレームを複数本備え、この複数の支持フレームが回転軸を介して折り畳み可能に構成されるとともに、折り畳んで重なり合った支持フレームと支持フレームとを磁力により接着させる磁石が配され、更に、前記支持フレームは、前記フック部を中心に左右に所定角度で傾斜して引き伸ばされ、前記フック部は、その根元の回転軸を中心に上方に回転して突出して、折畳みハンガーとしての使用が可能になる状態に展開されるか、及び／又は、前記フック部を中心に左右に各々少なくとも２つの支持フレームを備えて、これらの支持フレームを折り畳むと互いに重なり合った状態で前記フック部を中心に左右に所定角度で傾斜して展開することを特徴とする折畳み可能な携帯用具である。
本発明によれば、前記フック部の折畳み・展開状態と、支持フレームと支持フレームとの折畳み・展開状態が連動した対応関係になって、前記フック部と支持フレームとを交互に動作させるような不便がない。
また、本発明としては、前記フック部の幅は支持フレームの幅と同じ幅で構成され、前記角度調整部を介して折り畳まれると、前記フック部が支持フレームと支持フレームとの間に収納されてから、一方側の支持フレームと他方側の支持フレームとが一本の棒状に折り畳まれることが好ましい。
本発明によれば、物干しなどに引っ掛けるフック部は支持フレームの幅の範囲に収納されるので、フック部が突出するようなことなく折り畳まれて収納され、携帯するときには一本の棒状を呈して（手のひらサイズに収まるように小型化が図られるので）、携帯にすこぶる便利である。
そして、前記支持フレームの角度調整部を介して折り畳まれる一方、前記支持フレームの角度調整部を介して所定角度に突出する突出部を備え、前記突出部は、ロープや物干しなどに引っ掛けるフック部の他、ナイフ・カッター部や缶切り・缶開け部などの複数の機能を兼用する交換部材として配されて、種々の機能を発揮する折畳み可能な携帯用具を提供できる。
【発明の効果】
【００１３】
本発明によれば、支持フレームの内部中空部や外周引っ掛け部にキーなどの小物類を引っ掛けて携帯したり、登山やキャンプのテントの設営などのときに紐やロープを引っ掛けて長さ調節する係止用金具等として使用したり、展開してハンガー等として使用することができる。そして、棒状に折り畳んだときには、一方の支持フレームと他方の支持フレームとが磁石により接合するので、無造作に展開するようなことはなくなる。また、展開したときには、ハンガーや棒状の部材等（紐やロープの係止金具等）として使用できるが、磁石が配されているので、所定の折り畳み状態に速やかに移行させることができる（異なる磁極の接合状態に速やかに移行させることができる）。また、磁石を介して、金属製の箇所には（例えばリュックサックの金具や設営テントの金具等）磁力による接着をして固定することができる。
【図面の簡単な説明】
【００１４】
【図１】本発明の実施形態の折畳み可能な携帯用具を折り畳んだ状態を示す図であり、その（ａ）は自動車のキーと部屋のキーとを引っ掛け部に引っ掛けた状態を示す図であり、その（ｂ）は内部空洞の引っ掛け部に紐やロープを引っ掛けた状態を示す図である。
【図２】上記実施形態の折畳み可能な携帯用具をその一方側の支持フレームと他方側の支持フレームに各々直線状に重ね合わせた状態を示す平面図であり、その（ａ）は二段に折り畳んで一方側と他方側の支持フレームを直線状に連結した状態を示す図であり、その（ｂ）は二段の直線状の折り畳み状態で内部空洞の引っ掛け部に紐やロープを引っ掛けた状態を示す図であり、その（ｃ）はＶ字状に折り畳んだ状態で内部空洞の引っ掛け部に紐やロープを引っ掛けた状態を示す図である。
【図３】上記実施形態の折畳み可能な携帯用具を展開した状態と二段に折り畳んだ状態と棒状に折り畳んだ状態を示す平面図である。
【図４】上記実施形態の折畳み可能な携帯用具を折り畳んだ状態を示す側面図である。
【図５】上記実施形態の折畳み可能な携帯用具を二段に展開した状態から折り畳んで棒状の携帯用具に折り畳まれる工程を説明する図である。
【図６】上記実施形態の折畳み可能な携帯用具を二段に展開した状態から状に折り畳んだ状態を示す図である。
【図７】上記実施形態の折畳み可能な携帯用具を展開した状態と二段に折り畳んだ状態と棒状に折り畳んだ状態を示す背面図である。
【図８】上記実施形態の折畳み可能な携帯用具を展開した状態と二段に折り畳んだ状態と棒状に折り畳んだ状態を示す図である。
【図９】上記実施形態の折畳み可能な携帯用具の角度調整機構による角度調整の例を説明する図である。
【図１０】上記実施形態の折畳み可能な携帯用具の角度調整機構による角度調整の例を説明する図である。
【図１１】上記実施形態の折畳み可能な携帯用具の角度調整機構による角度調整の例を説明する図である。
【図１２】上記実施形態の折畳み可能な携帯用具の角度調整機構による角度調整の例を説明する図である。
【図１３】従来の折り畳みハンガーを示す斜視図である。
【図１４】従来の折り畳みハンガーを示す斜視図である。
【図１５】従来の折り畳みハンガーを示す斜視図である
【発明を実施するための形態】
【００１５】
以下、本発明を適用した具体的な実施の形態について、図面を参照しながら詳細に説明する。
【００１６】
（本発明の実施の形態）
図１（ａ）は、本発明の折畳み可能な携帯用具１をキーホルダーとして使用した例を示す図であり、図１（ｂ）は、一本の棒状に折り畳んで紐やロープを引っ掛けて使用する継承金具としての使用例を示す図である。図２は、上記実施形態の折畳み可能な携帯用具１を二段に折り畳んで、内部空洞の引っ掛け部８ａに紐やロープＲを引っ掛けた状態にして使用する係止用金具１を説明する図である。図３は、上記実施形態の折畳み可能な携帯用具１を展開した状態と二段に折り畳んだ状態と棒状に折り畳んだ状態を示す平面図である。図４は、上記実施形態の折畳み可能な携帯用具を折り畳んだ状態を示す側面図である。
本発明の折畳み可能な携帯用具１は、左右に各々２つの支持フレーム２，３を備えるとともに、左右の各々の支持フレーム２，３の長手方向の間に磁石５，５が配されており、一本の棒状に折り畳まれる。支持フレーム２，３には、紐やロープ等を引っ掛ける内部中空部８ａや外周引っ掛け部８ｂが形成されており、この複数の支持フレームの間にフック部９が回転軸（連結部）７を介して回転可能に取り付けられている。なお、このフック部９には、ナイフの刃やネジ（ドライバー）缶切りなど、他の機能を備えた交換用具（県用具）を交換して使用することが可能である。
支持フレーム２，３は、アルミニウム製や鋼鉄製であり、フック部９を中心に左右に各々２つの支持フレーム２，３を有して、左右各々の支持フレーム２，３が回転軸７を介して回転可能に構成されている。折り曲げる箇所には、角度調整部６ａ，６ｂと回転軸７が配されて、所定角度で形成される溝６ａに、スプリングピン６ｂを配置して構成されて所定角度回転する機構である。スプリングピン６ｂは、薄板に熱処理をして円筒状に巻いたピンであり、穴や溝６ａに取り付けたときに、ばねの作用により穴の内側に密着して高い保持力が得られる部材である。本実施の形態では、スプリングピン６ｂは、支持フレーム２と３の連結では、１８０度の溝６ａが形成されて、１８０度支持フレーム２，３が回転する角度調整がなされ、また、フック部９の根元部分では、回転角度９０度の溝６ａに配置されて、９０度回転して係止する（ロックがかかる状態になる）。
本実施の形態では、二本の支持フレーム２，３ごとの棒状の部材としても折り畳み可能であり、折り畳まれる一方の支持フレーム２Ａ，３Ａと他方の支持フレーム２Ｂ，３Ｂとの間において、一方側（図面中の上方）には折り曲げができるが、他方側（図面中の下方）には折り曲げができいように角度調整されている（図９と図１０（ａ）（ｂ）参照）。
【００１７】
前記支持フレーム２，３は、フック部９を中心に左右に各々２つの支持フレーム２Ａ，２Ｂ，３Ａ，３Ｂを対称に備えるとともに、左右の各々の一方の支持フレームと他方の支持フレームとの長手方向の間に磁石５が配されている。前記支持フレーム２，３は、左右に各々２つの支持フレームを備えるとともに、前記磁石５が左右の各々の支持フレームの厚さに対応する厚さで配されており、支持フレームの重なり合いによって折り畳まれると、対応する磁石５と５が接合して、支持フレームと支持フレームの重なり合いがずれないようになる。また、対応する磁石５と５がその極性が異なることで、引き付け合って、重なり合いの速度を早くする。
【００１８】
フック部９は、支持フレームと支持フレームの間に収納されたときには、支持フレームの一部のように重なり合って、紐やロープなどを係止する引っ掛け部（内部中空部）８ａとなる。
フック部９は、その幅が支持フレーム２，３の幅と同じ幅であり、支持フレームから突出しないように構成されているとともに、角度調整部６ａ，６ｂにより、一方側には折り曲げが可能であるが、他方側には折り曲げができいように角度調整されている。支持フレーム２，３を折り曲げると、フック９部が折り畳まれてから左右の支持フレームが重ね合わされる構成である。また、フック部９は、折り畳まれると、支持フレームの幅に収まって、紐やロープ等を引っ掛ける内部中空部８ａが形成される（図５（ｃ）と図６（ｃ）参照）。
図６（ｃ）の二段での重なり合い状態では、磁石５を介して、その一本の棒状の重なり合いにズレが生じるようなことはない。しかし、磁石５の接合力を外して、支持フレームの重なり合いを解除すると、磁石５の重なり合いがなくなり、支持フレームが回転可能になる。
また、前記一方側と他方側の支持フレーム２，３の間にフック部９が配されており、フック部の根元の回転軸７とその周囲の角度調整部６ａ，６ｂを中心に回転して外方に突出するとともに、一方側の支持フレームの角度調整部と他方側の支持フレームの角度調整部は逆向きの角度で向き合って構成されるものであり、フック部９が回転して、２つの支持フレームの中心位置において上方に突出するようになっている。
また、角度調整部６ａ，６ｂは逆向きの角度で向き合って構成されるものであり、フック部９が回転して、フック部９を中心に左右に各々２つの支持フレーム２，３の中心位置において上方に突出する。すなわち、一方側と他方側の支持フレームのどちらの側からフック部９を引き出す動作をしても、フック部９は互いの支持フレーム２，３の中心位置において回転して突出した状態になる（図５（ａ）〜（ｄ））。
【００１９】
次に、展開した状態の第１の実施の形態の使用例を説明する。展開して、折り畳み式のハンガーとして使用するときには、４つの支持フレーム２Ａ，２Ｂ，３Ａ，３Ｂが全開したときと、二段２（２Ｂ），３（３Ｂ）で展開したときの２通りの保持姿勢をとることができる。
【００２０】
（全開した状態のハンガー）
図８（ａ）（ｂ）（ｃ）は、本発明の実施形態の全開したハンガーの状態から折り畳む状態を説明する図である。
物干しなどに引っ掛けるフック部９は、折り畳まれる一方の支持フレームと他方の支持フレームとの間に折り畳まれて収納されるとともに、折り畳まれる一方の支持フレームと他方の支持フレームが重なり合って、折り畳みハンガーとしての使用ができる。
前記支持フレーム２，３は、前記フック部を中心に左右に所定角度で傾斜して引き伸ばされ、前記フック部９は、その根元の回転軸７を中心に上方に回転して突出して、折り畳みハンガーとしての使用が可能になる状態に展開される。なお、本実施の形態の折畳みハンガー１を複数重ね合わせるようにすると、互いの磁石５を介して、一つにまとめられる利点も有する。
【００２１】
（二段折り状態のハンガー）
図５（ａ）（ｂ）（ｃ）と図６（ａ）（ｂ）（ｃ）は、本発明の実施形態の折り畳み可能な携帯用具１の二段の状態で展開したこの二段折り状態では、一方側の支持フレームと支持フレームとが各々の中心の磁石により接着しているので、外力がかかっても展開したり、折り畳まれるようなことがなく、衣類を安定して保持することができる。すなわち、図２（ａ）の状態では、一本の棒状になっており、磁石を介して一方側のフレーム同士３Ａと３Ｂが接着しており、この接着よりも強い力を加えないと、折り畳むことはできない状態になっている。
そして、この二段のハンガーの状態から一本の携帯用具の状態に折り畳むときには、一方側と他方側の支持フレーム２，３が互いに重なり合った状態でフック部９を中心に回転して折り畳まれる。
【００２２】
また、フック部９の下の角度調整部６ａ，６ｂと、支持フレーム２，３の角度調整部６ａ，６ｂにより、折り畳まれた一方側の支持フレームと他方側の支持フレーム２，３を折り畳むと、その折り畳み動作に連動して、フック部９が折り畳まれて、別途フック部のみを折り畳む必要はない。
【００２３】
ここで、本件折り畳み可能な携帯用具を折り畳みハンガーとして使用する場合の角度調整について説明する。図９と図１０（ａ）（ｂ）に示すように、フック部９を正面から見て垂直に配置すると、フック部９の表裏に設けられたスプリングピン６ｂは、フック部９と支持フレーム２Ｂ及び３Ｂとの連結部（回転軸）７の中心から垂直に下がった位置に配置され、スプリングピン（６ｂ）に対応する支持フレーム（２Ｂ、３Ｂ）の溝６ａが、連結部（回転軸）７を中心に、スプリングピン６ｂから約１２０度の範囲に設けれていることで、支持フレーム２Ｂ及び３Ｂにハンガーとして所望する傾斜角度を与え、固定することができ、更に、支持フレーム２，３の逆回転防止と、フック部９の飛び出し防止というロック機能をも備えている。
なお、図１０（ａ）（ｂ）において、矢印方向〇は、回転可能な方向を示し、矢印方向×は、回転不可能な方向を示している。また、上記角度調整手段としては、折り曲げ角度を９０度に設定したり、６０度に設定したりもすることができるが、その状態で磁石を介して、その角度の位置ずれが生じないようにすることもできる。したがって、簡易な水準器としても使用が可能である。
また、図１１（ａ）（ｂ）と図１２（ａ）（ｂ）（ｃ）に示すように、支持フレーム３Ｂを正面から見て水平に配置すると、支持フレーム３Ｂに設けられたスプリングピン６ｂは、支持フレーム３Ａとの連結部（回転軸）７の中心から垂直に下がった位置に配置され、スプリングピン６ｂに対応する支持フレーム３Ａの溝６ａが、連結部（回転軸）７を中心に、スプリングピン６ｂから約１８０度の範囲で設けられていることで、折り畳まれていた支持フレーム３Ａを回転させ延伸させると、支持フレーム３Ｂと一直線となり、支持フレーム３Ａにハンガーとして所望する傾斜角度を与え、固定することができ、支持フレーム３Ａの逆回転防止のロック機能も付与できる、これは、支持フレーム２も同様である。なお、図１２（ａ）（ｂ）（ｃ）において、矢印方向〇は、回転可能な方向を示し、矢印方向×は、回転不可能な方向を示している。また、図１２（ｃ）において、直線の矢印は、磁石を介して左右の支持フレームが勢いよく閉じる方向を示している。
【００２４】
（その他の使用例）
フック部９としては、数枚のフック部９を向きを変えるなどして配置することが可能である。突起部９としては、ロープや物干しなどに引っ掛けるフック部の他、ナイフ部や缶切り・缶開け部やドライバー（ネジや穴あけの種々の機能を有するドラーバーセット）などの複数の機能を部材（交換用部材）として配されているものでも良い。
支持フレーム２，３としては、更に折り畳みの段数を増やして、３段にしたり、４段にしたりすることができる。磁石５は、丸型であるあるが、その形状は問われず、矩形状等でも良い。
また、支持フレーム２，３の長さ方向の間に配置されれば良く、左右端側の角度調整部に配置しても良く、支持フレーム２，３に沿って長さ方向に長い磁石を配置することも可能である。
ここで、磁石の種類としては、ゴム磁石、ラバー磁石などの柔らかい磁石を配することができる。ステンレス鋼である鉄・クロム・モリブデン合金である柔らかい磁石は、ＮｄＦｅＢで好ましくは１Ｔｅｓｌａより高い「残留磁束密度」（Ｂｒ）を有する。このような柔らかい磁石を、柔軟性のある支持フレーム２，３とともに使用することで、ロープや紐と引っ掛けたときに、隙間を生じさせるようなことがなく使用が可能になる。
【００２５】
以上、本実施の形態ではアルミ製などの折り畳み可能な携帯用具として説明したが、支持フレーム２，３は柔軟性のある合成樹脂で構成することも可能であり、また、磁石の形状や大きさは、上記例に限らず種々変更が可能である。
【符号の説明】
【００２６】
１                  折畳み可能な携帯用具（キーホルダー、係止用金具）、
２，２Ａ，２Ｂ      一方側の支持フレーム、
３，３Ａ，３Ｂ      他方側の支持フレーム、
４                  端部側の引っ掛け部、
５                  磁石、
６                  角度調整部、６ａ  溝、６ｂ  スプリングピン、
７                  回転軸（連結部）、
８ａ                中空内部の引っ掛け部、８ｂ    外周係止部、
９                  フック部（突出部、交換用部材）、
１０                切り欠き部（フックの収納部）、
Ｒ                  紐、ロープ、
Ｋ１，Ｋ２          キー（自動車のキーと部屋のキー）、
【図１】
0006901738.tif 000002
【図２】
0006901738.tif 000003
【図３】
0006901738.tif 000004
【図４】
0006901738.tif 000005
【図５】
0006901738.tif 000006
【図６】
0006901738.tif 000007
【図７】
0006901738.tif 000008
【図８】
0006901738.tif 000009
【図９】
0006901738.tif 000010
【図１０】
0006901738.tif 000011
【図１１】
0006901738.tif 000012
【図１２】
0006901738.tif 000013
【図１３】
0006901738.tif 000014
【図１４】
0006901738.tif 000015
【図１５】
0006901738.tif 000016